(57)【要約】      （修正有）【課題】杖などを用いて、屈むことなく靴を履いたり脱いだりできる靴において、機構部分に加わる力を少なくするとともに、アッパー部分の硬さ対する制約を少なくする。【解決手段】靴Ｘとして、履き口の足の内側寄りの先端近傍からアッパー１０先端の足の内側に存する面に向かって形成される切込みからなる開閉部１２と、前記開閉部１２の下方側のアッパー１０及び／又はソール２０に固定される上方に向かって出没するプッシュラッチ３０と、前記開閉部１２の上部近傍のアッパー１０部分と前記プッシュラッチ３０の移動部分の先端とを固定する連結固定部とを設ける。【選択図】図２
2014180306.tif 000002
【特許請求の範囲】
【請求項１】
履き口の足の内側寄りの先端近傍からアッパー先端の足の内側に存する面に向かって形成される切込みからなる開閉部と、
前記開閉部の下方側のアッパー及び／又はソールに固定される上方に向かって出没する移動部分を有するプッシュラッチと、
前記開閉部の上部近傍のアッパー部分と前記移動部分の先端とを固定する連結固定部と
を有する靴。
【請求項２】
前記連結固定部は、前記プッシュラッチ先端に固定される磁石又は磁性体からなる第一吸着部と、前記開閉部の上部近傍のアッパー部分に固定される前記第一吸着部に磁力で吸着する磁石又は磁性体からなる第二吸着部とからなり、前記第一吸着部と前記第二吸着部とは互いの接触角度が可変に形成される
請求項１に記載の靴。
【請求項３】
前記連結固定部は、前記プッシュラッチ先端と前記開閉部の上部近傍のアッパー部分とを連結する自在継ぎ手を有する
請求項１に記載の靴。
【請求項４】
前記連結固定部は、前記プッシュラッチ先端と前記開閉部の上部近傍のアッパー部分とを連結するシート体を有する
請求項１に記載の靴。
【請求項５】
前記連結固定部は内側に張り出す硬い素材からなる舌部を有する請求項１から４のいずれか１項に記載の靴。
【請求項６】
前記開閉部の上縁と下縁とは、伸縮性のあるシート又は蛇腹状のシートで連結されている請求項１から５のいずれか１項に記載の靴。
【発明の詳細な説明】
【技術分野】
【０００１】
本発明は、ワンタッチで装着可能な構造を有する靴に関する。
【背景技術】
【０００２】
靴を脱げないようにするためには、紐などで足の甲に当たるアッパー部分を締めることが一般的である。このため通常は、紐で結ぶようしたり、面ファスナーや、線ファスナーで締めるようにしたりすることが一般的である。
ところで、このような靴は屈んで紐を結ぶ等の操作をする必要があるので、足腰が弱いお年寄りや、足腰に損傷がある人にとっては靴を履いたり脱いだりすることが困難な場合がある。これに対して、下記特許文献にはアッパーの足の甲に当たる部分を先端側を基点に回転するように設けて、ラチェット機構により閉じる方向のみ回転するようにするとともに、当該アッパー部分にラチェット機構の解除ボタンを設けた靴が示されている。このような構造によれば、杖や傘で屈むことなく靴を履き、そして、脱ぐことができる。
【先行技術文献】
【特許文献】
【０００３】
【特許文献１】特開２００９−２２３４５号公報
【発明の概要】
【発明が解決しようとする課題】
【０００４】
しかし、上記特許文献に記載の発明はアッパーが開くことを回転の中心部分でラチェット機構により抑えているために、ラチェット部分には大きなモーメントがかかることから、壊れやすく、また、アッパーの甲に当たる部分を硬くする必要があるので履き心地にも制約が生じるという問題がある。
本発明は、このような問題に鑑み、杖などを用いて、屈むことなく靴を履いたり脱いだりできる靴において、機構部分に加わる力を少なくするとともに、アッパー部分の硬さ対する制約を少なくすることを課題とする。
【課題を解決するための手段】
【０００５】
上記課題を解決するために、本発明は次のような構成を有する。
請求項１に記載の発明は、履き口の足の内側寄りの先端近傍からアッパー先端の足の内側に存する面に向かって形成される切込みからなる開閉部と、前記開閉部の下方側のアッパー及び／又はソールに固定される上方に向かって出没するプッシュラッチと、前記開閉部の上部近傍のアッパー部分と前記プッシュラッチの移動部分の先端とを固定する連結固定部とを有する靴である。
請求項２に記載の発明は、前記靴において、前記連結固定部は、前記プッシュラッチ先端に固定される磁石又は磁性体からなる第一吸着部と、前記開閉部の上部近傍のアッパー部分に固定される前記第一吸着部に磁力で吸着する磁石又は磁性体からなる第二吸着部とからなり、前記第一吸着部と前記第二吸着部とは互いの接触角度が可変に形成されるものである。
請求項３に記載の発明は、請求項１記載の靴において、前記連結固定部は、前記プッシュラッチ先端と前記開閉部の上部近傍のアッパー部分とを連結する自在継ぎ手を有するものである。
請求項４に記載の発明は、請求項１記載の靴において、前記連結固定部は、前記プッシュラッチ先端と前記開閉部の上部近傍のアッパー部分とを連結するシート体を有するものである。
請求項５に記載の発明は、請求項１から３の靴において、前記連結固定部は内側に張り出す硬い素材からなる舌部を有するものである。
請求項６に記載の発明は、前記靴において、前記開閉部の上縁と下縁とは、伸縮性のあるシート又は蛇腹状のシートで連結されているものである。
【発明の効果】
【０００６】
以上のような構成により、本発明は次のような効果を奏する。
請求項１に記載の発明は、プッシュラッチの移動部分が下方に位置する状態で開閉部が閉じるか又は狭くなることでアッパーの前側が締まり、プッシュラッチの移動部分が上方に位置する状態で開閉部が広がってアッパーの前側がゆるくなる構造を有する。これによって、靴を履く際には、プッシュラッチの移動部分を上方に位置づけて足を靴に入れると容易に足を靴内に挿入することができ、この状態で上方からプッシュラッチの移動部分を上から押せば当該移動部分は下方に位置して固定されるので、アッパーの前側が締まって足に靴が固定することができる。一方、この状態から靴を脱ぐ際には、プッシュラッチの移動部分を上からもう一度押せば、当該移動部分は上方に移動するので、再びアッパーの甲の部分がゆるくなり足を容易に靴から抜くことができる。このように、上方から押す操作のみでアッパーの甲の部分を締めたり緩めたりすることできるので、アッパーの甲の部分を締め付ける靴でありながら、杖などで上から押せば屈むことなく靴の着脱を行うことができる。
そして、足の甲によりアッパーを上方に押し上げる力は、プッシュラッチの先端部部に直接かかるので特開２００９−２２３４５号公報に示す靴のように大きなモーメントによる力が機構部分にかかることがなく、また、アッパー部分を硬い素材で形成しなくても足の甲上部を締め付けることができる。
【０００７】
請求項２に記載の発明は、開閉部は切り込みの先端周りに回転しながら開閉するが、連結固定部が磁力により接触角度が可変に連結することで角度の変化に接合部が追従するので、アッパー部に余分な力がかかってねじれ等が発生することを抑制することができる。
請求項３に記載の発明は、連結固定部に自在継ぎ手を設けることで、開閉部の開閉に伴う角度の変化に自在継ぎ手が追従し、やはりアッパー部に余分な力がかかってねじれ等が発生することを抑制することができる。
請求項４に記載の発明は、連結固定部にシート体を設けることで、開閉部の開閉に伴う角度の変化に対してシート体がまず変形するので、やはりやはりアッパー部に余分な力がかかってねじれ等が発生することを抑制することができる。
請求項５に記載の発明は、硬い素材からなる舌部を設けることで上方から押す際に力を加えやすくすることができる。
請求項６に記載の発明は、前記開閉部の上縁と下縁とを、伸縮性のあるシート又は蛇腹状のシートで連結することで雨などの水分が靴内に浸入することを抑制することができる。
【図面の簡単な説明】
【０００８】
【図１】実施形態に係る靴Ｘを示す斜視図である。
【図２】実施形態に係る靴Ｘの開閉部が開いた状態を示す斜視図である。
【図３】（ａ）は開閉部が閉じた状態のプッシュラッチ近傍の正面図であり、（ｂ）は開閉部が開いた状態のプッシュラッチ近傍の正面図である。
【図４】（ａ）は開閉部が閉じた状態のプッシュラッチ近傍の側面図であり、（ｂ）は開閉部が開いた状態のプッシュラッチ近傍の側面図である。
【図５】連結固定部の変形例を示すプッシュラッチ近傍の側面図である。
【発明を実施するための形態】
【０００９】
以下、本発明の実施の形態について図を用いて説明する。
図１に本実施形態に係る靴Ｘの斜視図を示す。靴Ｘは、アッパー１０、ソール２０からなる一般的な形状を有するものである。ソール２０には内側部分が張り出した張り出し部２０ａが形成されている。そして、この張り出し部２０ａの上部に細長い楕円柱状のプッシュラッチ３０が移動部分３１が上方を向かうように固定されている。プッシュラッチ３０は一般的なものであり、移動部分３１が下方位置にある状態のときには、移動部分３１は上方から押されることで下方位置における固定が解除されて内部のばねにより上方に押し上げられる。そして、この状態から移動部分３１を下方に押し下げると下方位置において係合部が係合して移動部分３１は再び上方に移動しないように固定される。
【００１０】
アッパー１０の足の甲上部を覆う甲部１１は内側にクッションを貼り付けたプラスチック素材により形成され、アッパー１０の甲部１１以外の部分は皮、合皮、布などの柔らかい素材により形成されている。甲部１１は他の部分と接着もしくは縫い付けることにより一体に固定されるが、靴Ｘの内側部分のみは連結されずに開閉できるように形成されている。これにより靴Ｘの履き口の足の内側寄りの先端近傍からアッパーの先端の足の内側に存する面に向かって開閉部１２となる切込みが形成される。図２に開閉部１２を開いた状態の靴Ｘの斜視図を示す。前記プッシュラッチ３０の移動部分３１が上方に位置したときに開閉部１２は開いた状態となる。また、図に示すように開閉部１２の内部側の上縁と下縁とは薄いゴムシートで連結され、これによって開閉部１２の隙間から雨などの水分が浸入しないように構成されている。
【００１１】
また、開閉部１２の前記プッシュラッチ３０の上方に位置する場所の甲部１１には板状の舌部１１ａが固定されている。舌部１１ａはプッシュラッチ３０の移動部分３１の上面とほぼ重なる。図３（ａ）にプッシュラッチ３０近傍の正面図を示し、図４（ａ）のプッシュラッチ近傍の側面図を示す。プッシュラッチ３０の移動部分３１の先端には、先端が平らなネオジウム磁石が固定されるとともに、舌部１１ａの下面には球面を半径よりも短い長さで切断した形状を有し、曲面側がプッシュラッチ先端３０のネオジム磁石に吸着するネオジム磁石１１ａｂが曲面を下方に向けて固定される。これらの舌部１１ａ、ネオジム磁石１１ａｂ、プッシュラッチ３０の移動部分３１先端のネオジム磁石により連結固定部が形成される。図３（ｂ）に図３（ａ）の状態から開閉部１２が開いた状態を示し、図４（ｂ）に図４（ａ）の状態から開閉部１２が開いた状態を示す。各図に示すように舌部１１ａは開閉部１２が開くと正面視及び側面視のいずれにおいても角度が変わることとなるが、上記のような構造により舌部１１ａがプッシュラッチ３０の移動部分３１に対して角度を変えても磁石同士は接触点を変えながら吸着した状態を保ちつつ追従することができる。また、ネオジム磁石同士の吸着であるのでたやすく吸着が解けることもない。
【００１２】
靴Ｘの内側のかかとに接触する部分は、かかとを滑らせて挿入しやすいようにはプラスチック板からなる靴べら部４０が張られている。靴べら部４０の後方側はかかとが掛かりやすいように斜め上部に突出するように形成されている。
【００１３】
次に、以上のような構成を有する靴Ｘの使用方法について説明する。靴Ｘを履く際には、まず、図２のように開閉部１２が開いた状態としておく。なお、開閉部１２が閉じた状態の場合は、杖などで舌部１１ａを押し下げてプッシュラッチ３０の移動部分３１を上方に移動させることで開閉部１２を開いた状態とすることができる。この状態で足を靴Ｘに履き口から入れ、かかとが靴べら部４０に達したら、かかとを靴べら部４０により滑らせて、足を靴Ｘ内に完全に挿入する。次に、杖などで舌部１１ａを上から押し下げてプッシュラッチ３０の移動部分３１を押し下げて固定する。これにより靴Ｘは図１のような状態となり足の甲部分が締まって靴Ｘは足にしっかりと固定される。また、靴Ｘを脱ぐ際には、杖などで舌部１１ａを上から押し下げてプッシュラッチ３０の移動部分３１を上方に移動させる。これによって足への締め付けが緩まるので、そのまま足を靴Ｘから抜き取れば靴Ｘを脱ぐことができる。
このように本実施形態に係る靴Ｘは甲部分を締めるタイプの靴でありながら杖や傘などの棒体があれば屈むことなく履いたり脱いだりすることができ、また、棒体がない場合でも指先で押せば甲部分を締めたり緩めたりできるので、使用者の足腰への負担を低減することができ。
【００１４】
なお、上記実施形態において、連結固定部は舌部１１ａとプッシュラッチ３０の移動部分先端とを磁力により固定する方法を採用しているが、図５に示すように自在継ぎ手１１ａｃにより固定するようにしてもよい。自在継ぎ手によっても開閉部１２の開閉に伴う舌部１１ａの角度の変化に追従することができる。さらに、甲部１１を柔らかい素材で形成するとともに、舌部１１ａを柔らかいシート体にすることもできる。これによって、開閉部１２の開閉によって舌部１１ａの接合部の角度が変わっても、甲部１１及び舌部１１ａが変形することで、開閉部１２の動きに追従することができる。
また、上記実施形態では、アッパーの甲部１１を別素材とし、内側の接合部を開閉部１２としているが、開閉部１２は、一般的な靴のアッパーにおいて履き口の内側の先端近傍からアッパーの先端の内側面に向かって開閉部１２となる切込みを入れることで形成してもよい。
さらに、上記実施形態では、開閉部１２の内部側の上縁と下縁とは薄いゴムシートで連結しているが、蛇腹状のシートで連結するようにしてもよい。
【符号の説明】
【００１５】
Ｘ  靴
１０  アッパー
１１  甲部
１１ａ  舌部
１２  開閉部
１２ａ  ゴムシート
２０  ソール
３０  プッシュラッチ
３１  移動部分
４０  靴べら部
【図１】
2014180306.tif 000003
【図２】
2014180306.tif 000004
【図３】
2014180306.tif 000005
【図４】
2014180306.tif 000006
【図５】
2014180306.tif 000007